(57)【要約】【課題】  ユーザが、ユーザ自身のものであるか否かを容易に判別することができるカメラ用保護ハウジング。【解決手段】  赤外線受信部６１を備えたカメラ６は、水中撮影を行う場合には気密構造のハウジング１内に収納される。ハウジング１に収納されたカメラ６は、その出力部６４がハウジング１の入力部１１に接続される。送信機７から送出された赤外線信号８は、ハウジング１のレンズ部２によりカメラ６の赤外線受信部６１に集められる。カメラ６は赤外線信号８を受信すると、出力部６４から入力部１１へと報知指示信号を出力する。入力部１１が報知指示信号を受信すると振動発生部１２が振動し、ハウジング１全体が振動する。【選択図】        図２
2006133267.tif 000002
【特許請求の範囲】
【請求項１】
気密空間を形成し、前記気密空間に遠隔操作により信号を出力するカメラが収納されるカメラ保護用ハウジングにおいて、
前記カメラから出力された信号が入力される入力部と、
前記入力部に前記カメラからの信号が入力されると、ハウジングの所在を報知する動作を行う報知手段とを備えたことを特徴とするカメラ保護用ハウジング。
【請求項２】
請求項１に記載のカメラ保護用ハウジングにおいて、
前記カメラは赤外線信号により遠隔操作され、
前記赤外線信号を前記カメラの赤外線受信部に集光する集光部を備えたことを特徴とするカメラ保護用ハウジング。
【請求項３】
カメラが収納される気密空間を形成するカメラ保護用ハウジングにおいて、
遠隔操作手段からの信号を受信する受信部と、
前記受信部が前記遠隔操作手段からの信号を受信すると、ハウジングの所在を報知する動作を行う報知手段とを備えたことを特徴とするカメラ保護用ハウジング。
【請求項４】
請求項１〜３のいずれかに記載のカメラ保護用ハウジングにおいて、
前記報知手段は前記ハウジングを振動させて所在を報知することを特徴とするカメラ保護用ハウジング。
【発明の詳細な説明】
【技術分野】
【０００１】
本発明は、カメラを水中等で使用する時に用いるカメラ保護用ハウジングに関する。
【背景技術】
【０００２】
カメラにより水中撮影を行う場合には、カメラを気密構造を有する水中用ハウジングに収納して使用する（例えば、特許文献１参照）。
【０００３】
【特許文献１】特開２００３−２０２６２１号公報
【発明の開示】
【発明が解決しようとする課題】
【０００４】
ところで、海中ダイビングにカメラを使用した場合には、ダイビング後に塩出しと呼ばれる作業が一般的に行われる。塩出しでは、樽等の大きな容器に真水を張って、ダイビングに参加した人たちのカメラを水中ハウジングに収納した状態で容器内の真水に浸ける。しかしながら、水中ハウジングは容器デザインや大きさが似通っているため、真水に浸けられた多数のカメラの内のどれが自分のカメラかを見分けるのが難しいという問題があった。
【課題を解決するための手段】
【０００５】
請求項１の発明は、気密空間を形成し、その気密空間に遠隔操作により信号を出力するカメラが収納されるカメラ保護用ハウジングに適用され、カメラから出力された信号が入力される入力部と、入力部にカメラからの信号が入力されると、ハウジングの所在を報知する動作を行う報知手段とを備えたことを特徴とする。
請求項２の発明は、請求項１に記載のカメラ保護用ハウジングにおいて、カメラは赤外線信号により遠隔操作され、赤外線信号をカメラの赤外線受信部に集光する集光部を備えたものである。
請求項３の発明は、カメラが収納される気密空間を形成するカメラ保護用ハウジングに適用され、遠隔操作手段からの信号を受信する受信部と、受信部が遠隔操作手段からの信号を受信すると、ハウジングの所在を報知する動作を行う報知手段とを備えたことを特徴とする。
請求項４の発明は、請求項１〜３のいずれかに記載のカメラ保護用ハウジングにおいて、報知手段はハウジングを振動させて所在を報知するものである。
【発明の効果】
【０００６】
本発明によれば、カメラを収納したカメラ保護用ハウジングには、遠隔操作に応じてハウジングの所在を報知する報知手段が設けられているので、例えば、ハウジングに収められたカメラが多数あった場合でも報知動作をさせることにより容易に判別することができる。
【発明を実施するための最良の形態】
【０００７】
以下、図を参照して本発明を実施するための最良の形態について説明する。図１は本発明によるカメラ用保護ハウジングの一実施の形態を説明する図である。図１はハウジング１の外観構造を示す分解斜視図であり、ハウジングは、前カバー２，後ろカバー３およびそれらを締結一体化するための締結部材４とを備えている。
【０００８】
前カバー２との合わせ面である後ろカバー３のシール面３１にはＯ−リング等のシール材５が設けられており、後ろカバー３と前カバー２とを合わせ締結部材４で締結するとそれらは一体化され、後ろカバー３と前カバー２とによって囲まれた気密空間が形成される。不図示のカメラは、この気密空間に収納される。前カバー２には、後述するカメラの閃光発光部６２および赤外線受信部６１（図２参照）と対向する位置に、透明部材で形成された窓部２１およびレンズ部２２が設けられている。
【０００９】
また、前カバー２の上面には、カメラのレリーズスイッチを操作するためのレリーズ操作部２３が設けられている。なお、図示していないが、前カバー２および後ろカバー３には、カメラの電源スイッチや各種操作スイッチを操作するための操作部が設けられており、いずれの操作部も水密構造を有している。前カバー１の上面には、細かな皺が多数形成されたシボ部２４が設けられている。このシボ部２４に所有者の名前等を記入することができる。シボ部２４に代えて、ネームプレートを装着できるような構成を有していても良い。
【００１０】
図２は、ハウジング１およびカメラ６の関係する部分を示すブロック図である。カメラ６には送信機７から赤外線信号を受信するための赤外線受信部６１、閃光撮影時に閃光を発生する閃光発生部６２、カメラ全体の制御を行う制御部６３および報知指示信号をハウジング側に出力するための出力部６４を備えている。
【００１１】
一方、ハウジング１には上述した窓部２１、レンズ部２２および操作部２３（不図示）に加えて、出力部６４からの信号が入力される入力部１１、振動発生部１２および振動発生部１２に電力を供給する電源１３を備えている。送信機７は、カメラ６を遠隔操作してセルフタイマー撮影など時に使用されるリモコン装置が兼用される。
【００１２】
カメラ６をハウジング１内に収納すると、カメラ６の出力部６４とハウジング１側の入力部１１とが接続される。遠隔操作手段である送信機７から報知を指示する赤外線信号８が送出されると、赤外線信号８はハウジング１に設けられたレンズ部２２を介してカメラ６の赤外線受信部６１に集光される。赤外線は電波に比べ指向性が高いが、レンズ部２２の面積を大きくすることにより送信機７からの赤外線信号８が受信しやすくなる。
【００１３】
赤外線受信部６１からの出力は制御部６３に送られ、報知指示信号が出力部６４を介して出力される。出力部６４から出力された報知指示信号は、入力部１１を介してハウジング１側に取り込まれ、報知手段である振動発生部１２に入力される。振動発生部１２はモータ等のアクチェータにより振動を発生してハウジング１全体を振動させるものであり、アクチュエータを駆動するための駆動回路を有している。
【００１４】
前述したダイビング後の塩出し時のように、ハウジング１に覆われたカメラが多数ある場合には、どれが自分のカメラかを区別するのが難しい。しかし、本実施の形態では、送信機７から赤外線信号８をカメラ６に送ることにより、ハウジング１を振動させることができる。その結果、カメラが収納された多数のハウジングの中から振動しているハウジング１を探し出せば良いので、どれが自分のカメラであるかを容易に認識することができる。
【００１５】
図３は本実施の形態の変形例を示す図である。上述した実施形態では、図２に示したように送信機７からの赤外線信号８をカメラ６の赤外線受信部６１で受信して、カメラ６からハウジング１へと報知指示信号を入力して、振動発生を指示するようにした。一方、図３に示すハウジング４０は、送信機７からの赤外線信号８を受信するための赤外線受信部４１を備えている。
【００１６】
赤外線受信部４１からの出力は、ハウジング４０に設けられた制御部４２に入力される。制御部４２は赤外線受信部４１からの信号を受信すると、振動発生部１２に対して報知指示信号を出力する。そして、報知指示信号を受信した振動発生部１２はハウジング４０全体を振動させる。このハウジング４０の場合には、ハウジング４０自体が赤外線信号８を受信するような構成となっているため、カメラ６が上述した赤外線受信部６１を備えていなくても良い。その場合、送信機７はハウジング４０専用の送信機として設けられることになる。
【００１７】
ハウジング４０の場合にも、レンズ部２２を設けて赤外線信号８を受信しやすいようにする。さらに、赤外線受信部４１をハウジング４０の前面や背面や上面等に複数分散して設けるようにすれば、赤外線信号８の受信方向の自由度が増し、送信機７からの赤外線信号８を確実に受信することができる。また、赤外線信号８に代えて電波を送受信することにより、受信方向の指向性を解消することができる。
【００１８】
以上説明した実施の形態と特許請求の範囲の要素との対応において、振動発生装置１２は報知手段を、レンズ部２２は集光部を、送信機７は遠隔操作手段を、赤外線受信部４１は受信部をそれぞれ構成する。また、本発明の特徴を損なわない限り、本発明は上記実施の形態に何ら限定されるものではない。
【図面の簡単な説明】
【００１９】
【図１】本発明によるカメラ用保護ハウジング１の外観を示す分解斜視図である。
【図２】ハウジング１およびそれに収納されたカメラ６のブロック図である。
【図３】本実施の形態の変形例を示す図である。
【符号の説明】
【００２０】
１，４０  ハウジング
２  前カバー
３  後ろカバー
４  締結部材
５  シール材
６  カメラ
７  送信機
１１  入力部
１２  振動発生部
１３  電源
２２  レンズ部
２４  シボ部
４１，６１  赤外線受信部
６４  出力部
【図１】
2006133267.tif 000003
【図２】
2006133267.tif 000004
【図３】
2006133267.tif 000005